(57)【要約】  【課題】  原稿の一回の搬送にて両面の画像を読み取る両面読取装置であって、割り込み要求の設定に対して効率良く対応する。  【解決手段】  原稿トレイ２１に載置された原稿を原稿搬送路２９に搬送させ、第１光学ユニット４０にて原稿の表面の画像を読み取り、第２光学ユニット５０にて原稿の裏面の画像を読み取る。両面読取りで原稿を搬送している間に、割り込み要求が設定された場合、その割り込み要求の設定タイミングとは関係なく、搬送されている原稿の表面の画像及び裏面の画像の読取りを完了した後に、設定された割り込み要求を実行する。表面の画像の読取りが開始されていない場合には、その原稿に対して読取りを全く行わずに、その原稿を高速で搬送・排出して、迅速に割り込み要求を実行する。【選択図】      図２
2005073036.tif 000002
【特許請求の範囲】
【請求項１】
原稿の一回の搬送にて前記原稿の表面の画像と裏面の画像とを夫々異なる位置で読み取る両面読取装置において、割り込み要求を受け付ける受付手段と、原稿の搬送開始を検知する手段と、割り込み要求を受け付けたときに原稿の搬送が開始されている場合、前記原稿の表面の画像と裏面の画像と読み取った後に、受け付けた前記割り込み要求を実行する手段とを備えることを特徴とする両面読取装置。
【請求項２】
原稿の一回の搬送にて前記原稿の表面の画像と裏面の画像とを夫々異なる位置で読み取る両面読取装置において、割り込み要求を受け付ける受付手段と、原稿の表面及び裏面の画像読取り開始を夫々検知する手段と、前記受付手段にて割り込み要求を受け付けたときに、原稿の搬送は開始されているが該原稿の表面及び裏面の画像の読取りが何れも開始されていない場合、前記原稿に対して読取りを行わずに前記原稿を外部へ排出する手段とを備えることを特徴とする両面読取装置。
【請求項３】
読取りが行われずに外部へ排出された前記原稿を再搬送すべき旨を報知する手段を備えることを特徴とする請求項２記載の両面読取装置。
【発明の詳細な説明】
【技術分野】
【０００１】
本発明は、原稿の一回の搬送にて原稿の表面及び裏面の画像を読み取る両面読取装置に関する。
【背景技術】
【０００２】
ファクシミリ装置、ディジタル複写機などの読取装置において、原稿の表面及び裏面の画像を読み取れるようにしたものがある。このような両面読取装置における従来の一般的な構成では、１回目の原稿の搬送にてその表面の画像を読み取った後、原稿の表裏を反転させて再度原稿を搬送させてその裏面の画像を読み取るようにしている。
【０００３】
また、原稿読取り中にユーザからの割り込み要求を受け付けるように構成しており、割り込み要求を受け付けた場合に、読取りを一旦中断してその割り込み要求を実行し、割り込み要求の実行後に読取りを再開させる割り込み機能を持たせた読取装置があり、上述したような両面読取装置における割り込み機能の実施手法について種々の提案がなされている（例えば、特許文献１，２参照）。
【０００４】
ところで、上述したように二回の搬送を行うのではなく、一回の搬送にて原稿の表面及び裏面の画像を読み取るように構成した両面読取装置も知られている。このような両面読取装置では、原稿搬送路の下方に設けたＣＣＤイメージセンサを含む光学ユニットにて原稿の表面の画像を読み取り、原稿搬送路の上方に設けたＣＩＳ（Contact Image Sensor）を含む光学ユニットにて原稿の裏面の画像を読み取る構成とすることにより、原稿の表裏反転動作を行うことなく、一回の搬送にて原稿の表面及び裏面の画像を読み取ることができる。この場合、裏写りを防止するために、表面の画像の読取位置（表面読取位置）と裏面の画像の読取位置（裏面読取位置）とは異ならせておくことが一般的である。
【特許文献１】特開２００３−１４３３６９号公報
【特許文献２】特開２００３−１４３３７０号公報
【発明の開示】
【発明が解決しようとする課題】
【０００５】
このような一回の搬送にて両面の画像を読み取る両面読取装置においても、上述したような二回の搬送を用いる両面読取装置と同様に、割り込み機能を持たせることが望まれているが、割り込み機能を搭載するにあたっては、両面読取装置を使用するユーザの利便性を図れることが重要な条件となる。
【０００６】
本発明は斯かる事情に鑑みてなされたものであり、原稿の一回の搬送にて両面の画像を読み取る両面読取装置であって、割り込み要求の設定に対して効率良く対応できる両面読取装置を提供することを目的とする。
【０００７】
本発明の他の目的は、原稿の一回の搬送にて両面の画像を読み取る両面読取装置であって、ユーザから設定された割り込み要求を迅速に行うことができる両面読取装置を提供することにある。
【課題を解決するための手段】
【０００８】
請求項１に係る両面読取装置は、原稿の一回の搬送にて前記原稿の表面の画像と裏面の画像とを夫々異なる位置で読み取る両面読取装置において、割り込み要求を受け付ける受付手段と、原稿の搬送開始を検知する手段と、割り込み要求を受け付けたときに原稿の搬送が開始されている場合、前記原稿の表面の画像と裏面の画像と読み取った後に、受け付けた前記割り込み要求を実行する手段とを備えることを特徴とする。
【０００９】
請求項１にあっては、割り込み要求を受け付けた場合、その受付け時点で読取対象の原稿の搬送を既に開始しているときには、割り込み要求の受付けタイミングに拘わらず、その原稿の表面の画像及び裏面の画像を読み取った後に、受け付けた割り込み要求を実行する。表面の画像を読み取る位置（表面読取位置）と裏面の画像を読み取る位置（裏面読取位置）とは異なっているので、割り込み要求が発生するタイミングとして、両面とも読取りを開始していないタイミングと、一方の面の読取りは開始しているが他方の面の読取りは開始していないタイミングと、両面とも読取りを開始しているタイミングとが存在する。請求項１では、割り込み要求の受付のタイミングは全く考慮せずに、少しでも搬送を開始させた原稿に関しては、その両面（表面及び裏面）の読取りを先に完了させた後で、受け付けた割り込み要求を実行する。即ち、割り込み要求が発生したタイミングに関係なく、原稿の両面の読取りが完了するまで、割り込み要求を成立させないようにする。よって、片面だけを読み取るための原稿の再セットを行う必要がなく、ユーザの操作性は向上する。
【００１０】
請求項２に係る両面読取装置は、原稿の一回の搬送にて前記原稿の表面の画像と裏面の画像とを夫々異なる位置で読み取る両面読取装置において、割り込み要求を受け付ける受付手段と、原稿の表面及び裏面の画像読取り開始を夫々検知する手段と、前記受付手段にて割り込み要求を受け付けたときに、原稿の搬送は開始されているが該原稿の表面及び裏面の画像の読取りが何れも開始されていない場合、前記原稿に対して読取りを行わずに前記原稿を外部へ排出する手段とを備えることを特徴とする。
【００１１】
請求項２にあっては、割り込み要求が発生するタイミングが、両面とも読取りを開始していないタイミングである場合には、両面とも読取りを行わずに原稿を外部へ排出し、割り込み要求が発生するタイミングが、一方の面の読取りは開始しているが他方の面の読取りは開始していないタイミングまたは両面とも読取りを開始しているタイミングである場合には、両面の読取りを行った後に受け付けた割り込み要求を実行する。よって、割り込み要求が発生した時点で全く読取りがなされていない原稿を、その画像を読み取ることなく、高速で外部へ排出することができるため、受け付けた割り込み要求を迅速に行える。
【００１２】
請求項３に係る両面読取装置は、請求項２において、読取りが行われずに外部へ排出された前記原稿を再搬送すべき旨を報知する手段を備えることを特徴とする。
【００１３】
請求項３にあっては、割り込み要求のために読取りが行われずに外部へ排出された原稿を再搬送すべきである旨をユーザに報知する。よって、ユーザは対処の方法を容易に認識できる。
【発明の効果】
【００１４】
本発明では、割り込み要求を受け付けた場合、その受付けタイミングに関係なく、搬送を開始した原稿の表面の画像及び裏面の画像を先に読み取り、その後、その読取り完了を待って割り込み要求を実行するようにしたので、割り込み要求が受け付けられても、搬送を開始した原稿はその表面の画像及び裏面の画像が必ず読み取られるため、片面だけを読み取るために原稿を再セットする必要がなく、ユーザの操作性を向上することができる。
【００１５】
また、本発明では、原稿の両面ともが読取りを開始していないタイミングで割り込み要求を受け付けた場合、その原稿の読取りを全く行わないでその原稿を外部へ排出するようにしたので、割り込み要求が受け付けられた場合に、搬送中の原稿を高速で外部へ排出できるため、受け付けた割り込み要求を迅速に実行することができる。
【００１６】
更に、本発明では、割り込み要求のために読取りが行われずに搬送された原稿の再搬送を報知するようにしたので、ユーザへ対処の方法を容易に知らせることができる。
【発明を実施するための最良の形態】
【００１７】
以下、本発明をその実施の形態を示す図面を参照して具体的に説明する。図１は、本発明の読取装置としてのファクシミリ複合装置１００の構成を示すブロック図である。
【００１８】
ファクシミリ複合装置１００は、制御部１，読取部２，記録部３，表示部４，操作部５，符号化・復号化部６，ＲＯＭ７，ＲＡＭ８，画像メモリ９，モデム１０，ＮＣＵ（Network Control Unit）１１，ＰＣインタフェース部１２などを備えている。ファクシミリ複合装置１００は、読取部２にて原稿を読み取って画像データを得る読取機能、読み取った画像データ、ファクシミリ通信により受信した画像データ、またはＰＣインタフェース部１２を介してＰＣから受信した画像データに応じた画像を記録部３にて記録する記録機能、及び、読み取った画像データまたは受信した画像データをファクシミリ送信する送信機能を併せ持っている。
【００１９】
制御部１は、具体的にはＣＰＵで構成されており、バス１３を介してファクシミリ複合装置１００の上述したようなハードウェア各部と接続されていて、それらを制御すると共に、ＲＯＭ７に格納された制御プログラムに従って、種々のソフトウェア的機能を実行する。
【００２０】
読取部２は、例えばＣＣＤイメージセンサ，ＣＩＳを利用して原稿を読み取り、読み取った画像データを出力する。また、読取部２は、原稿の一回の搬送にて、その原稿の表面及び裏面の画像の読取りが可能である。図２は、読取部２の構成を示す概略図である。読取部２は、ＡＤＦ（Auto Document Feeder）２０と、ＡＤＦ２０の下方に設けられた第１光学ユニット４０と、ＡＤＦ２０の内部に設けられた第２光学ユニット５０とを有する。
【００２１】
ＡＤＦ２０内には、原稿給紙口３１から原稿排紙口３２まで一連の原稿搬送路２９が形成されている。原稿給紙口３１の外側にはシート状の複数の原稿を載置する原稿トレイ２１が設けられており、原稿トレイ２１には、その上に載置された原稿の長さを検知する長さセンサ４１，４１が設けられている。原稿給紙口３１の近傍には、ピックアップローラ２２及び分離ローラ２３が上流側からこの順に配設されている。ピックアップローラ２２の上下動を検知するピックアップセンサ５１が設けられており、ピックアップローラ２２が下方へ移動したタイミングに同期して原稿の搬送が開始されるため、ピックアップローラ２２の下方への移動をピックアップセンサ５１が検知したタイミングが原稿の搬送開始タイミングとなる。分離ローラ２３の原稿搬送路２９対向側には分離パッド２４が設けられており、ピックアップローラ２２と分離ローラ２３との間には原稿の有無を検知する有無センサ４２が設けられ、分離ローラ２３の少し下流側には原稿の幅を検知する幅センサ４３が設けられている。
【００２２】
原稿搬送路２９の中流域から下流域にかけての複数箇所に、原稿の搬送を制御するレジストローラ２５が設けられている。これらのレジストローラ２５の回転は、モータ３０によって駆動されている。そして、レジストローラ２５の回転速度、つまり原稿の搬送速度は、制御部１からの制御パルスに基づくモータ３０の回転駆動に応じて制御される。原稿排紙口３２の近傍には排紙ローラ２８が設けられている。
【００２３】
原稿搬送路２９の中流域にはその上側に第１原稿圧接ローラ２６が設けられている。また、原稿搬送路２９を挟んで第１原稿圧接ローラ２６に対向する位置には、光源，ＣＣＤイメージセンサ等を含む第１光学ユニット４０が配設されている。そして、この第１原稿圧接ローラ２６及び第１光学ユニット４０が対向する位置が表面読取位置であり、搬送された原稿の表面の画像がこの表面読取位置で第１光学ユニット４０によって読み取られるようになっている。また、この表面読取位置の上流側には、搬送される原稿の先端及び後端を検知する第１原稿センサ４４が設けられている。この第１原稿センサ４４の検知結果に基づいて、原稿搬送路２９内における原稿の搬送位置が検出されると共に、第１光学ユニット４０による表面の読取りの開始／終了タイミングが制御される。
【００２４】
原稿搬送路２９の下流域にはその下側に第２原稿圧接ローラ２７が設けられている。また、原稿搬送路２９を挟んで第２原稿圧接ローラ２７に対向する位置には、光源，ＣＩＳ等を含む第２光学ユニット５０が配設されている。そして、この第２原稿圧接ローラ２７及び第２光学ユニット５０が対向する位置が裏面読取位置であり、搬送された原稿の裏面の画像がこの裏面読取位置で第２光学ユニット５０によって読み取られるようになっている。また、この裏面読取位置の上流側には、搬送される原稿の先端及び後端を検知する第２原稿センサ４５が設けられている。この第２原稿センサ４５の検知結果に基づいて、原稿搬送路２９内における原稿の搬送位置が検出されると共に、第２光学ユニット４０による裏面の読取りの開始／終了タイミングが制御される。
【００２５】
裏面読取位置の下流側には、搬送される原稿の先端及び後端を検知する第３原稿センサ４６が設けられている。この第３原稿センサ４６の検知結果に基づいて、原稿搬送路２９内における原稿の搬送位置が検出される。
【００２６】
このような構成を有する読取部２にあって、原稿トレイ２１に載置された原稿は、原稿給紙口３１からピックアップローラ２２及び分離ローラ２３により１枚ずつ分離されて搬送され、原稿搬送路２９を通り、レジストローラ２５によって更に搬送される。そして、片面（表面）のみの画像を読み取るモード（片面読取モード）が選択されている場合には、第１光学ユニット４０によって、搬送される原稿の表面の画像が読み取られる。一方、両面（表面及び裏面）の画像を読み取るモード（両面読取モード）が選択されている場合には、第１光学ユニット４０によって、搬送される原稿の表面の画像が読み取られた後、更に、第２光学ユニット５０によって、搬送される原稿の裏面の画像が読み取られる。
【００２７】
記録部３は、電子写真方式のプリンタ装置であって、読取部２にて読み取った原稿の画像データ、ファクシミリ通信により受信した画像データ、外部のＰＣから送られてきた画像データなどに応じた画像を用紙にプリントアウトする。表示部４は、液晶表示装置またはＣＲＴディスプレイ等の表示装置であり、ファクシミリ複合装置１００の動作状態を表示したり、読み取れなかった原稿の再搬送をユーザへ促す画面を表示したり、ユーザへ操作入力を促す画面を表示したり、送信すべく読み取った原稿の画像データ、他のファクシミリ装置またはＰＣから送信された画像データなどの表示を行う。
【００２８】
操作部５は、ファクシミリ複合装置１００を操作するために必要な文字キー，テンキー，短縮ダイヤルキー，ワンタッチダイヤルキー，各種のファンクションキーなどを備えている。操作部５は、ファンクションキーとして、片面読取モードまたは両面読取モードのいずれかをユーザが選択するための読取モード選択キー５ａと、割り込み要求をユーザが設定するための割り込みキー５ｂと、原稿の両面読取処理を行っている際に割り込み要求を受け付けた場合の搬送原稿の処理方法を、第１モード（搬送が開始されておれば割り込み要求の受付けタイミングとは無関係に原稿の両面の画像を読み取るモード）、または、第２モード（割り込み要求の受付けタイミングにおける原稿の搬送位置に応じて、搬送中の原稿の読取りを行うか行わないかを決定するモード）の何れかに切り換えるモード切換キー５ｃとを有する。なお、表示部４をタッチパネル方式とすることにより、操作部５の各種のキーの内の一部または全部を代用することも可能である。
【００２９】
符号化・復号化部６は、画像データを符号化圧縮すると共に、符号化圧縮されている画像データを復号する。ＲＯＭ７は、ファクシミリ複合装置１００の動作に必要な種々のソフトウェアのプログラムを予め格納している。ＲＡＭ８は、ＳＲＡＭまたはフラッシュメモリ等で構成され、ソフトウェアの実行時に発生する一時的なデータを記憶する。画像メモリ９は、ＤＲＡＭ等で構成され、原稿を読み取って符号化した画像データ、他のファクシミリ装置またはＰＣから受信して符号化した画像データなどを蓄積する。
【００３０】
モデム１０は、バス１３に接続されており、ファクシミリ通信が可能なファクシミリモデムから構成されている。また、モデム１０は、同様にバス１３に接続されたＮＣＵ１１と直接的に接続されている。ＮＣＵ１１は、公衆電話回線網（ＰＳＴＮ：Public Switched Telephone Network)との回線Ｌ１の閉結及び開放の動作を行うハードウェアであり、必要に応じてモデム１０をＰＳＴＮと接続する。そして、ファクシミリ複合装置１００は、ＰＳＴＮによって他のファクシミリ装置と接続されており、通常のファクシミリ通信が行えるようになっている。
【００３１】
ＰＣインタフェース部１２は、ＬＡＮ等の通信線Ｌ２を介して外部のＰＣに接続されており、ＰＣとの間でデータのやりとりを行う。そして、外部のＰＣで作成・編集された各種の画像データが通信線Ｌ２を介してファクシミリ複合装置１００（ＰＣインタフェース部１２）へ送信され、送信された画像データに応じた画像がファクシミリ複合装置１００（記録部３）にて用紙にプリントアウトされるようになっている。
【００３２】
ここで、本発明のファクシミリ複合装置１００の読取部２における原稿Ｐの搬送位置と表面読取位置及び裏面読取位置との関係について説明する。図３は、それらの位置関係を示す模式図である。図３に示す状態Ａは、第１光学ユニット４０による原稿Ｐの表面の読取りが開始される前の位置関係を示しており、図３に示す状態Ｂは、原稿Ｐの表面の読取りは開始されているが第２光学ユニット５０による原稿Ｐの裏面の読取りは開始されていない位置関係を示しており、図３に示す状態Ｃは、原稿Ｐの表面及び裏面の読取りが開始されている位置関係を示しており、図３に示す状態Ｄは、原稿Ｐの表面の読取りが終了した後の位置関係を示している。
【００３３】
本発明のファクシミリ複合装置１００では、ユーザによる読取モード選択キー５ａの選択操作によって、片面読取モードまたは両面読取モードのいずれかが選ばれ、片面読取モードが選択された場合には、読取部２にて原稿の表面の画像のみが読み取られ、両面読取モードが選択された場合には、読取部２にて原稿の表面及び裏面の画像が読み取られる。そして、両面読取モードが選択されており、ユーザによる割り込みキー５ｂの操作により割り込み要求が設定された場合、モード切換キー５ｃにて切り換えられている第１モードまたは第２モードの何れかに応じて、搬送中の原稿の処理が制御される。
【００３４】
具体的には、モード切換キー５ｃにて第１モードに切り換えられている場合には、搬送が開始された原稿に関しては、少しでも搬送されていれば、割り込み要求の設定タイミングとは無関係に、つまり原稿が如何なる搬送位置に存在するときでも（図３の状態Ａ〜Ｄ）、その原稿に対して第１光学ユニット４０による表面の読取り及び第２光学ユニット５０による裏面の読取りが完了した後に、その設定された割り込み要求を実行する。なお、原稿の搬送開始のタイミングは、ピックアップセンサ５１にて検知される。一方、モード切換キー５ｃにて第２モードに切り換えられている場合、割り込み要求の設定タイミングが、両面とも読取りが全く開始されていないタイミング、つまり第１光学ユニット４０による表面の読取りが開始される前のタイミング（図３の状態Ａ）であるときには、両面とも読取りを行わずに読取処理時よりも高速で原稿を搬送させて外部へ排出し、割り込み要求の設定タイミングが、少なくとも一方の面の読取りが開始されているタイミング、つまり第１光学ユニット４０による表面の読取りが開始された後のタイミング（図３の状態Ｂ，Ｃ，Ｄ）であるときには、その原稿に関して第１光学ユニット４０による表面の読取り及び第２光学ユニット５０による裏面の読取りが完了した後に、その設定された割り込み要求を実行する。
【００３５】
以下、動作について説明する。図４は、本発明のファクシミリ複合装置１００における原稿画像の両面読取処理の動作手順を示すフローチャートである。
【００３６】
読取り対象である両面画像の原稿の搬送を開始した後（ステップＳ１）、制御部１は、割り込みキー５ｂが操作されて割り込み要求が設定されたか否かを判断する（ステップＳ２）。割り込み要求が設定された場合（Ｓ２：ＹＥＳ）、制御部１は、モード切換キー５ｃにより第１モードに切換えられているか否かを判断する（ステップＳ３）。
【００３７】
第１モードに切換えられている場合（Ｓ３：ＹＥＳ）、搬送が開始されている、つまり搬送中の原稿の表面及び裏面の画像を第１光学ユニット４０及び第２光学ユニット５０にて読み取った後（ステップＳ４）、設定された割り込み要求を実行して（ステップＳ５）、動作がＳ１に戻る。
【００３８】
第１モードに切換えられていない場合、即ちモード切換キー５ｃにより第２モードに切換えられている場合（Ｓ３：ＮＯ）、制御部１は、第１光学ユニット４０により、搬送されている原稿に対してその表面の読取りが開始されているか否かを判断する（ステップＳ６）。表面の読取りが開始されている場合には（Ｓ６：ＹＥＳ）、その原稿に対して第１光学ユニット４０及び第２光学ユニット５０による表面及び裏面の画像の読取りを完了した後（ステップＳ７）、設定された割り込み要求を実行して（ステップＳ８）、動作がＳ１に戻る。
【００３９】
一方、搬送されている原稿に対してその表面の読取りが開始されていない場合（Ｓ６：ＮＯ、図３の状態Ａ）、搬送されている原稿に対して表面及び裏面の何れの読取りも行わずに、モータ３０（レジストローラ２５）の回転を速くして、通常よりも速い速度でその原稿を搬送して外部へ排出し（ステップＳ９）、設定された割り込み要求を実行する（ステップＳ１０）。そして、割り込み発生の告知、並びに、読み取られずに排出された原稿の再載置をユーザに促す操作指示を、表示部４に表示する（ステップＳ１１）。例えば、「割り込みが発生しましたので、読み取られていない原稿を再セットして下さい」などのメッセージを表示部４に表示する。そして、読み取られていない原稿が原稿トレイ２１に再び載置された後、スタートキーが押された否かを、制御部１は判断する（ステップＳ１２）。スタートキーが押された場合には（Ｓ１２：ＹＥＳ）、動作がＳ１に戻って、その原稿が再び搬送される。スタートキーが押されない場合には（Ｓ１２：ＮＯ）、動作がＳ１１に戻る。
【００４０】
なお、割り込み要求が設定されない場合（Ｓ２：ＮＯ）、制御部１は、次の原稿が原稿トレイ２１に載置されているか否かをを判断する（ステップＳ１３）。載置されている場合には（Ｓ１３：ＹＥＳ）、動作がＳ１に戻って、次の原稿が搬送され、載置されていない場合には（Ｓ１３：ＮＯ）、動作が終了する。
【図面の簡単な説明】
【００４１】
【図１】本発明のファクシミリ複合装置の構成を示すブロック図である。
【図２】本発明のファクシミリ複合装置の読取部の構成を示す概略図である。
【図３】本発明のファクシミリ複合装置の読取部における原稿の搬送位置と表面読取位置及び裏面読取位置との関係を示す模式図である。
【図４】本発明のファクシミリ複合装置における両面読取処理の動作手順を示すフローチャートである。
【符号の説明】
【００４２】
１  制御部
２  読取部
４  表示部
５  操作部
５ａ  読取モード選択キー
５ｂ  割り込みキー
５ｃ  モード切換キー
７  ＲＯＭ
２０  ＡＤＦ
２１  原稿トレイ
２５  レジストローラ
２９  原稿搬送路
３０  モータ
４０  第１光学ユニット
４４  第１原稿センサ
４５  第２原稿センサ
４６  第３原稿センサ
５０  第２光学ユニット
５１  ピックアップセンサ
１００  ファクシミリ複合装置
Ｐ  原稿
【図１】
2005073036.tif 000003
【図２】
2005073036.tif 000004
【図３】
2005073036.tif 000005
【図４】
2005073036.tif 000006